(57)【要約】      （修正有）【課題】試着が好ましくないショーツ等に好適に用いられ、商品価値を損なうことがなく、商品の肌触りおよび形状等を直接確認することができる衣類用のパッケージを提供する。【解決手段】このパッケージ１００は、上方に設けられたフック１４０で吊り下げ可能とされ、展示販売するときのショーツＳの平面状態の面積（高さＨ×幅Ｗ）よりも大きな面積を有する表面１１０および裏面１２０を備えるとともに、開口部１１２を備えた略正方形状の平面部材と、裏面１２０側に設けられ、ショーツＳを露出させてショーツＳの少なくとも一部を係止して保持するための保持機構１３０とを含む。この保持機構１３０により保持されていない部分のショーツＳの形状が変化することにより、ショーツＳにより隠れていた領域１２２が視覚により識別できる。【選択図】図２
0003192746.tif 000002
【実用新案登録請求の範囲】
【請求項１】
試着が好ましくない衣類を展示販売するためのパッケージであって、
展示販売するときの前記衣類の平面状態の面積よりも大きな面積を有する第１の面および前記第１の面の反対側である第２の面を備えた平面状部材と、
前記第１の面とは異なる部分に設けられ、前記衣類を露出させて前記衣類の少なくとも一部を保持するための保持手段とを含む、試着が好ましくない衣類用のパッケージ。
【請求項２】
視覚を通じて購入検討者または購入希望者に購入を訴求する情報が、前記第１の面に表示されていることを特徴とする請求項１に記載の衣類用のパッケージ。
【請求項３】
展示販売する状態においては、前記第２の面側に前記衣類が前記保持手段により保持されるとともに、前記保持された衣類により隠れる領域が前記第２の面に存在し、
前記保持手段は、保持されていない部分の衣類の形状が変化することにより、前記領域が視覚により識別できるように、前記衣類の少なくとも一部を保持することを特徴とする、請求項１または請求項２に記載の衣類用のパッケージ。
【請求項４】
前記保持手段は、前記第２の面側に設けられたことを特徴とする、請求項３に記載のパッケージ。
【請求項５】
前記保持手段は、平面状切片であって、前記衣類を折り返した部分を前記平面状切片に係止することにより、前記衣類の一部を保持することを特徴とする、請求項４に記載のパッケージ。
【請求項６】
前記保持手段は、穴部を有する平面状切片であって、前記穴部へ前記衣類を通して係止することにより、前記衣類の一部を保持することを特徴とする、請求項４に記載のパッケージ。
【請求項７】
前記保持手段は、前記衣類を前記第１の面側に押圧して係止することにより、前記衣類の一部を保持することを特徴とする、請求項４〜請求項６のいずれかに記載のパッケージ。
【請求項８】
前記第１の面側から前記衣類の一部を視覚により識別できる開口部を、前記平面状部材に備えることを特微とする、請求項１〜請求項７のいずれかに記載のパッケージ。
【請求項９】
前記パッケージは、所定の形状を備え、予め定められた位置に切り欠きを有する平面材を折り曲げて形成されることを特徴とする、請求項１〜請求項８のいずれかに記載のパッケージ。
【請求項１０】
前記展示販売する状態において、前記第１の面の面積に対する前記保持手段の面積が５％〜４０％であることを特徴とする、請求項１〜請求項９のいずれかに記載のパッケージ。
【考案の詳細な説明】
【技術分野】
【０００１】
本考案は、衣類の展示販売（陳列販売と同義）に用いられる衣類用のパッケージに関し、特に、肌着に代表されるショーツ、アンダーシャツ、タイツ、パンティストッキング等の試着が好ましくない衣類の展示販売に好適に用いられるパッケージに関する。
【背景技術】
【０００２】
一般に、衣類は、需要促進、販売促進、購入意欲喚起等のため、新素材の利用、着用性、体形補正等の各種の機能性向上や種々の改良が行われ、それらの改良がなされた衣類を展示販売するために、衣類に適したパッケージが種々工夫されている。
たとえば、ショーツ（下半身肌着であるパンツを含む）に適した販売用のパッケージとしては、商品の肌触り等を直接確認できるようにハンガーエプロン等で商品の少なくとも一部を顧客が手にとれるように吊り下げられるものが多い。このようなパッケージを、実用新案登録第３０３８１３２号公報（特許文献１）、特許第４８７１１９８号公報（特許文献２）、特許第４８７１１９９号公報（特許文献３）、実用新案登録第３１３２５９７号公報（特許文献４）が開示する。なお、このようなパッケージが適用されるショーツは、衛生上、試着することが好ましくない衣類である。
【０００３】
ところで、上記した特許文献１〜４に開示されたショーツ用のパッケージでは、顧客が手にとれるように商品が吊り下げられているので、ハンガーフックに複数のパッケージを吊り下げた陳列状態においては、商品であるショーツが互いに擦れ合ってショーツの生地表面に毛玉が発生する（ピリング）という問題がある。
このような陳列により商品が劣化するという課題を解決するための方策のひとつとして、全体が包装袋または外装フィルムにより覆われたパッケージを採用することが考えられる。このようなパッケージを、特開２００８−１４２４６６号公報（特許文献５）、特開２０１３−１８０７９６号公報（特許文献６）が開示する。
【先行技術文献】
【特許文献】
【０００４】
【特許文献１】実用新案登録第３０３８１３２号公報
【特許文献２】特許第４８７１１９８号公報
【特許文献３】特許第４８７１１９９号公報
【特許文献４】実用新案登録第３１３２５９７号公報
【特許文献５】特開２００８−１４２４６６号公報
【特許文献６】特開２０１３−１８０７９６号公報
【考案の概要】
【考案が解決しようとする課題】
【０００５】
しかしながら、上述した特許文献５〜６に開示されたような、包装袋または外装フィルムにより覆われたパッケージでは、生地表面に毛玉が発生するという問題が解決できるとしても、包装袋または外装フィルムがあるので商品の肌触り等を直接確認することができない。このような場合に、顧客が商品の全体形状または肌触り等を直接確認するために、特許文献５〜６に開示されたパッケージにおいて包装袋または外装フィルムが取り外されて商品が取り出されてしまうと（試着されたと判断されることもあり得るので）、商品価値が大きく損なわれる可能性がある。
【０００６】
ここで、特許文献５の第００３０段落に記載されているように、このような包装袋または外装フィルムによりパッケージを覆うことを任意的構成とした態様も考えられる。特許文献５〜６において、紙製または樹脂性のシートを折り曲げて立体的に構成されたパッケージを、包装袋または外装フィルムにより覆わない態様として、複数のパッケージを吊り下げた陳列状態とした場合には、商品自体が互いに擦れ合う面積が、小さくなったり有しなくなったりするので、生地表面に毛玉が発生するという問題を解決することができる可能性がある。
【０００７】
しかしながら、このような態様であると、立体的に構成されたパッケージに商品全体が
内包されているために、パッケージの一部分に伸縮性視認用の観察用開口部または色確認用の切欠部を備えるとしても、視覚により商品の一部分のみが確認できるにすぎない。このため、このような態様であると、商品全体の形状を直接確認したり、商品の肌触り等を直接確認したりすることができない。この場合においても、顧客が商品の全体形状または肌触り等を直接確認するために、立体的に構成されたパッケージから商品が取り出されてしまうと、商品価値が大きく損なわれる可能性がある。
【０００８】
なお、上述した特許文献５〜６に開示されたパッケージを覆う包装袋または外装フィルムを、特許文献１〜４に開示されたパッケージに適用する態様も考えられる。この場合においても、商品の肌触り等を直接確認することができなくなることは容易に理解でき、顧客が商品の全体形状または肌触り等を直接確認するために包装袋または外装フィルムから商品を取り出してしまうと商品価値が大きく損なわれる可能性があることも容易に理解できる。
【０００９】
また、特許文献１〜６に開示されたパッケージは、基本的にはパッケージを吊り下げて陳列販売するものであるので、複数のパッケージを積み重ねて平置きしたり立て掛けたりして陳列販売することを想定した機能性もデザインも備えていない。
本考案は、従来技術の上述の問題点に鑑みて開発されたものであり、その目的とするところは、試着が好ましくない衣類に好適に用いられ、吊り下げても平置きしても立て掛けても商品価値を損なうことがなく、商品の肌触りおよび形状等を直接確認することができる、衣類用のパッケージを提供することである。
【課題を解決するための手段】
【００１０】
上記目的を達成するため、本考案に係る、試着が好ましくない衣類用のパッケージは以下の技術的手段を講じている。
すなわち、本考案に係るパッケージは、展示販売するときの前記衣類の平面状態の面積よりも大きな面積を有する第１の面および前記第１の面の反対側である第２の面を備えた平面状部材と、前記第１の面とは異なる部分に設けられ、前記衣類を露出させて前記衣類の少なくとも一部を保持するための保持手段とを含む。
【００１１】
好ましくは、視覚を通じて購入検討者または購入希望者に購入を訴求する情報が、前記第１の面に表示されているように構成することができる。
さらに好ましくは、展示販売する状態においては、前記第２の面側に前記衣類が前記保持手段により保持されるとともに、前記保持された衣類により隠れる領域が前記第２の面に存在し、前記保持手段は、保持されていない部分の衣類の形状が変化することにより、前記領域が視覚により識別できるように、前記衣類の少なくとも一部を保持するように構成することができる。
【００１２】
さらに好ましくは、前記保持手段は、前記第２の面側に設けるように構成することができる。
さらに好ましくは、前記保持手段は、平面状切片であって、前記衣類を折り返した部分を前記平面状切片に係止することにより、前記衣類の一部を保持するように構成することができる。
【００１３】
さらに好ましくは、前記保持手段は、穴部を有する平面状切片であって、前記穴部へ前記衣類を通して係止することにより、前記衣類の一部を保持するように構成することができる。
さらに好ましくは、前記保持手段は、前記衣類を前記第１の面側に押圧して係止することにより、前記衣類の一部を保持するように構成することができる。
【００１４】
さらに好ましくは、前記第１の面側から前記衣類の一部を視覚により識別できる開口部を、前記平面状部材に備えるように構成することができる。
さらに好ましくは、前記パッケージは、所定の形状を備え、予め定められた位置に切り欠きを有する平面材を折り曲げて形成されるように構成することができる。
さらに好ましくは、前記展示販売する状態において、前記第１の面の面積に対する前記保持手段の面積が５％〜４０％であるように構成することができる。
【考案の効果】
【００１５】
本考案のパッケージによれば、吊り下げても平置きしても立て掛けても商品価値を損なうことがなく、商品の肌触りおよび形状等を直接確認することができる、試着が好ましくない衣類用のパッケージを提供することができる。
【図面の簡単な説明】
【００１６】
【図１】本考案の実施の形態に係る試着が好ましくない衣類用のパッケージの吊り下げ状態を示す斜視図である。
【図２】図１における裏面側を示す斜視図である。
【図３】図２においてショーツを持ち上げた状態を示す斜視図である。
【図４】図１のパッケージの展開状態の表面図である。
【図５】図１のパッケージの展開状態の裏面図である。
【図６】図５のパッケージにショーツを包装する手順を示す図（その１）である。
【図７】図５のパッケージにショーツを包装する手順を示す図（その２）である。
【図８】図５のパッケージにショーツを包装する手順を示す図（その３）である。
【図９】図５のパッケージにショーツを包装する手順を示す図（その４）である。
【図１０】図５のパッケージにショーツを包装する手順を示す図（その５）である。
【図１１】図５のパッケージにショーツを包装する手順を示す図（その６）である。
【図１２】本考案の実施の形態の第１の変形例に係る、試着が好ましくない衣類用のパッケージの展開状態の裏面図である。
【図１３】本考案の実施の形態の第２の変形例に係る、試着が好ましくない衣類用のパッケージの展開状態の裏面図である。
【考案を実施するための形態】
【００１７】
以下、本考案の実施の形態に係る試着が好ましくない衣類用のパッケージ（以下において単にパッケージと記載する場合がある）１００を、図面に基づき詳しく説明する。なお、試着が好ましくない衣類用のパッケージ１００に包装されて展示販売される衣類は、婦人用の下半身肌着であるショーツＳであるとして説明する。このパッケージ１００に包装されて展示販売される衣類としては、このような婦人用のショーツＳに限定されるものではなく、肌着に代表されるショーツ、アンダーシャツ、タイツ、パンティストッキング等の試着が好ましくない衣類である。また、以下においては、このショーツＳを展示販売するためにパッケージ１００を吊り下げた場合における上下左右方向または展開状態を示す紙面における上下左右方向を基準として説明する。なお、このパッケージ１００は吊り下げて展示販売されることに限定されるものではなく、平置きされた状態または立て掛けられた状態で展示販売されても構わない。
【００１８】
［パッケージ構造］
図１〜図３に、試着が好ましくない衣類用のパッケージ１００にショーツＳが装着されている吊り下げ状態の斜視図を示す。図１は表面（第１の面）から見た斜視図であって、図２は裏面（第２の面）から見た斜視図であって、図３は図２においてショーツＳを持ち上げた状態の斜視図である。さらに、パッケージ１００の展開状態の表面（第１の面）の平面図を図４に、パッケージ１００の展開状態の裏面（第２の面）の平面図を図５にそれぞれ示す。
【００１９】
これらの斜視図および平面図に示すように、このパッケージ１００は、展示販売するときのショーツＳの平面状態の面積よりも大きな面積を有する第１の面である表面１１０および表面１００の反対側である第２の面である裏面１２０を備えた平面状部材と、表面１１０とは異なる部分に設けられ、ショーツＳを露出させてショーツＳの少なくとも一部を保持するための保持機構１３０とを含んで構成されている。ここで、展示販売するときのショーツＳの平面状態の面積とは、後述するようにショーツＳが折り畳まれた状態における面積を意味しており、折り畳まれない場合にはショーツＳを平面に載置した場合の面積となる。
【００２０】
そして、パッケージ１００に収納されたショーツＳが展示販売する状態においては、裏面１２０側にショーツＳが保持機構１３０により保持されるとともに、保持されたショーツＳにより隠れる領域１２２が裏面１２０に存在する。この保持機構１３０は、保持され
ていない部分のショーツＳの形状が変化することにより、この領域１２２が視覚により識別できるように、ショーツＳの少なくとも一部を保持することを特徴とする。
【００２１】
このようにパッケージ１００は、大略的には、表面１１０およびその裏面１２０からなる正方形状の平面状部材（詳しくは後述するようにこの平面状部材は硬質の紙製または樹脂性のシート）により構成される。そして、たとえば、第１の面である表面１１０には着用状態を示す写真１１４（またはイラスト）が描かれ（さらに後述するように表面１１０側からショーツＳの一部を視覚により識別できる開口部１１２をこの写真１１４に対応させて設けている）、第２の面である裏面１２０には保持機構１３０が設けられている。なお、表面と裏面とが逆であっても構わない。また、開口部１１２は、写真１１４に対応させて設けることに限定されるものではなく、開口部１１２は、表面１１０のいずれかの位置に表面１１０側からショーツＳの一部を視覚により識別できるように設けられていれば構わない。
【００２２】
この裏面１２０には、保持機構１３０により保持されたショーツＳにより隠れる領域１２２が存在し、保持されていない部分のショーツＳの形状が変化することにより、隠れていた領域１２２が視覚により識別できるように構成されている。この領域１２２ならびに第１の面１１０に設けられた領域１１６および第２の面１２０に設けられた領域１２４Ａ、１２４Ｂ、１２６には、商品の効果等を含む商品説明が記載されることが好ましい。商品説明の一例としては、展示商品する商品であるショーツＳについての、商品名、素材、サイズ、色、特徴、機能、取扱注意事項、製造販売元および価格情報等がある。さらに、このパッケージ１００においては、ショーツＳを小さく折り畳んで包装していないので、展示販売するときのショーツＳの平面状態の面積が比較的大きいために大きな表示領域を備えることができるので、多くの商品情報を表示できる点で好ましい。
【００２３】
特に、領域１２２は、購入検討者または購入希望者が、ショーツＳを持ち上げることによりショーツＳの形状が変化して、隠れていた情報が視覚により識別できるように構成されているので、このショーツＳに興味を持って手に取ったユーザが購入を決心するように、ユーザに対して大きく訴求できる情報（たとえば、ユーザはこのショーツＳを手に取って触感を識別しているので肌触りについての情報、ユーザはこのショーツＳを手に取って購入を迷っているとも言えるので購入を決定づけるこのショーツＳの最大の特徴についての情報等）を記載することが好ましい。
【００２４】
ここで、本実施の形態に係るパッケージ１００においては、保持機構１３０が裏面１２０側に設けられているが本考案はこれに限定されるものではなく、一般的なハンガーと、表面１１０および裏面１２０を備えた平面状部材とを組み合わせたような態様であっても（すなわち、保持機構であるハンガーが必ずしも裏面側に設けられるものではなく平面状部材の上面側に設けられる）構わない。
【００２５】
さらに、保持機構１３０は、平面状切片であって、ショーツＳを折り返した部分を平面状切片に係止することにより、ショーツＳの一部を保持するように構成されているが、本考案はこれに限定されるものではない。たとえば、保持機構として、穴部を有する平面状切片として、この穴部へショーツＳを通して係止することにより、ショーツＳの一部を保持するようにしても構わない。
【００２６】
また、この保持機構１３０は、押圧切片１３２を備え、後述するように押圧切片１３２によりショーツＳが表面１１０側に押圧して係止される。
また、このパッケージ１００においては、表面１１０側からショーツＳの一部を視覚により識別できる開口部１１２を、平面状部材に備える。この開口部１１２を通してショーツＳの一部が見えることにより表面１１０側からショーツＳの色彩、柄または編み組織等を識別することができる。
【００２７】
この開口部１１３の面積は、表面１１０の面積に対して、好ましくは１０％未満、より好ましくは５％未満であれば、後述する展示販売の形態において、ショーツＳどうしが互いに擦れ合ってショーツの生地表面に毛玉が発生するおそれが少ない点で好ましい。さらに好ましくは、開口部１１３の位置が保持機構１３０に対応する位置に設けられていることが、ショーツＳどうしがたがいに擦れ合ってショーツの生地表面に毛玉が発生するおそれがない点で好ましい。
【００２８】
そして、図４および図５に示すように、このパッケージ１００は、所定の形状を備え、予め定められた位置に切り欠きを有する平面材である硬質の紙製または樹脂性のシートを折り曲げ、その過程でショーツＳを折り畳むとともに係止切片１３６（１３６Ａ、１３６Ｂ）にショーツＳを係止して引っ掛けて、保持切片１３４の切込部１３４Ｃ、１３４Ｄに封止切片１３８（１３８Ａ、１３８Ｂ）の嵌合部１３８Ｃ、１３８Ｄを嵌合させることにより、パッケージ１００が図１〜図３に示す形状に形成される。
【００２９】
なお、展示販売する状態において、表面１１０の面積に対する保持機構１３０の面積が５％〜４０％であることが好ましく、１０〜３０％であることがより好ましい。このように５％〜４０％であると、図２に示すように、展示販売状態のショーツＳの少なくとも半分以上（５０％以上）を視覚により認識することができる点で好ましい。また、５％未満ではショーツＳの保持が不十分になり、ユーザーがショーツＳを手にとった時にパッケージ１００からはずれるおそれがある。
【００３０】
ここで、このパッケージ１００は、吊り下げ用のフック１４０を備えるが、このフックに代えてパッケージ１００を吊り下げることができるようにパッケージ１００に穴部を設けるだけであっても構わない。さらに、このパッケージ１００は平置きしたり立て掛けたりして展示販売することにも適しているので、このような吊り下げ用のフック１４０および穴部を備えなくても構わない。
【００３１】
以下において、このパッケージ１００の構造について、図４および図５に示す展開状態のパッケージ１００を参照して、さらに詳しく説明する。なお、このパッケージ１００は、開口部１１２の左右方向の位置、デザインのために設けられた写真１１４、商品説明のために設けられた領域１１６、および係止切片１３６に設けられた切込１３６Ｃ、１３６Ｄの上下方向の向き、を除いて図面上で左右対称の形状を備える。
【００３２】
このパッケージ１００は、略正方形の形状を備えた表面１１０（この表面１１０の反対側が裏面１２０である）と、この表面１１０から図面上で左右方向に延設された封止切片１３８（１３８Ａ、１３８Ｂ）と、この表面１１０から図面上で上方向に延設された保持切片１３４と、この保持切片１３４から図面上でさらに上方向に延設された押圧切片１３２と、を備える。
【００３３】
封止切片１３８Ａおよび封止切片１３８Ｂには、それぞれ、ショーツＳの折り畳んだ場合の厚みに対応したマチ部１３８Ｅ、１３８Ｆおよび保持切片１３４の切込部１３４Ｃ、１３４Ｄに嵌合される嵌合部１３８Ｃ、１３８Ｄを備える。なお、このマチ部１３８Ｅ、１３８Ｆの幅は、表面１１０と裏面１２０との間に設けられたマチ部１３４Ａ、１３４Ｂの幅と対応しており、このパッケージ１００の厚みを形成する。また、フック１４０は、これらのマチ部１３４Ａ、１３４Ｂの間であって表面１１０と裏面１２０との境界に設けられた長穴１４２に、その下部片１４４が係止されて設けられている。
【００３４】
さらに、保持切片１３４から図面上で左右方向に係止切片１３６（１３６Ａ、１３６Ｂ）が延設される。これらの係止切片１３６Ａおよび係止切片１３６Ｂには、それぞれ、互いに嵌合されて接合される接合切込部１３６Ｃ、１３６Ｄを備える。
［包装方法および展示販売方法］
以上のような構造を備える本実施の形態に係るパッケージ１００を使用したショーツＳの包装方法および展示販売方法を説明する。
【００３５】
まず、図５〜図１１を参照して、パッケージ１００を使用したショーツＳの包装方法を説明する。図５に示す展開状態のパッケージ１００において、図６に示すように、押圧切片１３２を保持切片１３４側へ折り返す。これにより、裏面１２０側から見て、図６に示すように、押圧切片１３２と保持切片１３４とは谷折りになる。
次に、図７に示すように、ショーツＳの腰のゴムベルト付近が封止切片１３８付近の高さ位置になるように、脚部を上方向にして載置する。このとき、このショーツの前後方向（腹部側および臀部側）は、いずれであっても構わないが、図７に示す状態は腹部側が見える状態であって、この状態で包装すると図２および図３に示すように陳列販売時において臀部側が見えるようになり臀部側のデザインを見えやすくすることができて好ましく、
図７に示す状態とは逆に臀部側が見える状態で包装すると陳列販売時において腹部側が見えるようになり腹部側のデザインを見えやすくすることができて好ましい。
【００３６】
次に、図７に示す矢示Ｒ（１）方向にショーツＳを一点鎖線で折り畳むと、図８に示す状態になる。このようにショーツＳを一点鎖線で折り畳むことにより、陳列販売時のショーツＳの幅（左右方向長さ）が表面１１０（および裏面１２０）の幅よりも短くなる。
次に、図９に示すように、係止切片１３６Ａおよび係止切片１３６Ｂを保持切片１３４側（押圧切片１３２側でもある）へ折り返す。これにより、裏面１２０側から見て、図９に示すように、保持切片１３４と係止切片１３６とは谷折りになる。そして、接合切込部１３６Ｃ、１３６Ｄを互いに嵌合させて係止切片１３６Ａと係止切片１３６Ｂとを接合させることにより係止切片１３６を形成する。このように係止切片１３６を形成することにより、ショーツＳは、保持切片１３４と係止切片１３６とにより挟持された状態となる。
【００３７】
次に、保持切片１３４と係止切片１３６とにより挟持された状態のショーツＳとともに保持切片１３４を裏面１２０側へ（図９に示す矢示Ｒ（２）方向に）ひっくり返すと、図１０に示す状態になる。これにより、裏面１２０側から見て、図１０に示すように、保持切片１３４と裏面１２０とはマチ部１３４Ａ、１３４Ｂにより形成されたマチを備えた谷折りになる。
【００３８】
次に、図１１に示すように、封止切片１３８Ａおよび封止切片１３８Ｂを保持切片１３４側へ折り返す。これにより、裏面１２０側から見て、図１１に示すように、封止切片１３８と保持切片１３４とは谷折りになる。そして、嵌合部１３８Ｃ、１３８Ｄを、それぞれ保持切片１３４の切込部１３４Ｃ、１３４Ｄに嵌合されることによりパッケージ１００が完成する。裏面１２０側から見て、図１１に示すように、封止切片１３８と保持切片１３４とはマチ部１３８Ｅ、１３８Ｆにより形成されたマチを備えた谷折りになる。
【００３９】
このようにして、図４または図５に示す展開状態のパッケージ１００が図１〜図３に示す立体状態に形成される。この立体状態において、ショーツＳは、押圧切片１３２により係止切片１３６側（保持切片１３４側でもある）へ押圧されるともに保持切片１３４と係止切片１３６とにより挟持されて係止されており、このように挟持されたショーツＳ自体と、押圧切片１３２および係止切片１３６とが、封止切片１３８と保持切片１３４とにより封止されている。このように、押圧切片１３２が係止切片１３６側へショーツＳを押圧するために、係止切片１３６に係止されたショーツＳがずり落ちることを抑制することができる。
【００４０】
また、このパッケージ１００からショーツＳを取り出そうとすると、少なくとも、保持切片１３４の切込部１３４Ｃ、１３４Ｄに嵌合されている封止切片１３８の嵌合部１３８Ｃ、１３８Ｄを抜く必要があり、場合によっては、さらに、互いに嵌合されている係止切片１３６の接合切込部１３６Ｃ、１３６Ｄを開放する必要がある。
このように、少なくとも封止切片１３８の嵌合部１３８Ｃ、１３８Ｄを抜かなければ、ショーツＳをパッケージ１００から取り出すことができないので、パッケージからショーツＳを容易には取り出せない。このようにショーツＳをパッケージ１００から容易に取り出せないことは、試着されにくいことを意味しており、試着が好ましくないショーツＳに好適である。
【００４１】
さらには、この封止切片１３８の嵌合部１３８Ｃ、１３８Ｄに嵌合されている保持切片１３４の切込部１３４Ｃ、１３４Ｄの部分を、図１１に示すように、接着テープＴで封止したり、開封防止テープ（一度剥がすと開封の後が一目でわかるという犯罪、事故防止のための特殊機能テープ）で封止したりすることも好ましい。
また、このようにパッケージ１００に包装されたショーツＳにおける、展示販売するときのショーツＳの平面状態の面積とは、ショーツＳが折り畳まれた状態における面積であって、図９に示す高さＨ×幅Ｗにより算出される面積となる。
【００４２】
次に、図１〜図３を参照して、パッケージ１００を使用したショーツＳの展示販売方法を説明する。パッケージ１００は、図１〜図３に示すように、販売店の陳列棚の商品吊り下げ棒にフック１４０が吊り下げられて、購入希望者はショーツＳの一部を触れることできるように展示販売される。また、複数のパッケージ１００が商品吊り下げ棒に吊り下げ
られて展示販売される場合には、パッケージ１００の表裏が同じ向きになるように吊り下げられる。そして、展示販売するときのショーツＳの平面状態の面積（高さＨ×幅Ｗ）よりも大きな面積を表面１１０（および裏面１２０）が有する。これらにより、複数のパッケージ１００が商品吊り下げ棒に吊り下げられて展示販売されても、ショーツＳどうしが互いに擦れ合ってショーツＳの生地表面に毛玉が発生するという問題が発生しない。
【００４３】
なお、複数のパッケージ１００が平置きされたり立て掛けられたりして展示販売される場合には、パッケージ１００の表裏が同じ向きになるように重ねて平置きされたり立て掛けられたりする。このように複数のパッケージ１００が平置きまたは立て掛けられて展示販売された場合にも、上記した同じ理由により、ショーツＳどうしが互いに擦れ合ってショーツＳの生地表面に毛玉が発生するという問題が発生しない。
【００４４】
ユーザは、図１または図２に示すように吊り下げられて展示されたパッケージ１００を見る。このとき、興味を示したユーザは、図３に示すように、ショーツＳを触って肌触り等の触感を確かめる。このように、ユーザがショーツＳを触るときに、保持機構１３０以外の部分は自由に形状を変化させることができ、たとえば、ショーツＳを持ち上げることもできる。ショーツＳを持ち上げると（ショーツＳを手に取って触感を識別していると）、図３に示すように隠れていた領域１２２がユーザの視覚に認識される。この領域１２２には、たとえば、肌触りについての情報を記載しておくことにより、触覚により識別される肌触りと、視覚により識別される肌触りについての情報とにより、ユーザに対して商品価値を大きく訴求することができる。
【００４５】
なお、図１に示すように展示販売されているとき、表面１１０を上にして平置きされて展示販売されているとき、および、表面１１０を表にして立て掛けられて展示販売されているときには、開口部１１２からショーツＳの一部がユーザに見えることにより表面１１０側からショーツＳの色彩、柄または編み組織等を識別することができる点で好ましい。
以上のようにして、本実施の形態に係るパッケージ１００によると、試着が好ましくない衣類（一例としてショーツ）に好適に用いられ、吊り下げても平置きしても立て掛けても商品価値を損なうことがなく、商品の肌触りおよび形状等を直接確認することができる。
【００４６】
［変形例に係るパッケージ］
以下において、このパッケージの変形例について説明する。
図１２に、第１の変形例に係るパッケージ２００の展開状態の裏面図を示す。この図１２は上述した図５に対応する。このパッケージ２００は、図５に示す係止切片１３６Ａ、１３６Ｂに代えて、図１２に示す係止切片２３６（２３６Ａ、２３６Ｂ）を備える。この係止切片２３６Ａ、２３６Ｂは、それぞれ、ショーツＳを係止する側にギザギザ形状の滑り防止部２３８（２３８Ａ、２３８Ｂ）を備える。このため、係止切片２３６に係止されたショーツＳがずり落ちることをさらに抑制することができる。
【００４７】
さらに、図１３に、第２の変形例に係るパッケージ３００の展開状態の裏面図を示す。この図１３も上述した図５に対応する。このパッケージ３００は、図５に示す係止切片１３６Ａ、１３６Ｂに代えて、図１３に示す係止切片３３６（３３６Ａ、３３６Ｂ）を備える。この係止切片３３６Ａ、３３６Ｂは、それぞれ、ショーツＳを押圧する押圧部３３８（３３８Ａ、３３８Ｂ）を備える。これらの押圧部３３８Ａ、３３８Ｂは、それぞれ、係止切片３３６Ａ、３３６Ｂ側へ折り返されて、裏面１２０側から見て、係止切片３３６と押圧部３３８とは谷折りになる。このため、押圧切片１３２と同じく（押圧方向は表裏逆方向であるが）、押圧部３３８Ａ、３３８Ｂが保持切片１３４側（押圧切片１３２側でもある）へショーツＳを押圧するために、係止切片３３６に係止されたショーツＳがずり落ちることをさらに抑制することができる。
【００４８】
ここで、第２の変形例において、押圧部３３８Ａ、３３８Ｂは、図１３に点線で示すように下側のみに設けても、上下両側に設けても、構わない。さらに、第１の変形例と第２の変形例とを組み合わせて、係止切片の下側に滑り防止部を、係止切片の上側に押圧部３３８を、それぞれ設けるようにしても構わない。
なお、今回開示された実施の形態はすべての点で例示であって制限的なものではないと
考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００４９】
本考案は、試着が好ましくない衣類のパッケージに好適であり、吊り下げても平置きしても立て掛けても商品価値を損なうことがなく、商品の肌触りおよび形状等を直接確認することができる点で特に好適である。
【符号の説明】
【００５０】
１００    試着が好ましくない衣類用のパッケージ（パッケージ）
１１０    表面（第１の面）
１１２    開口部
１２０    裏面（第２の面）
１３０    保持機構（保持手段）
１３２    押圧切片
１３４    保持切片
１３６（１３６Ａ、１３６Ｂ）    係止切片
１３８（１３８Ａ、１３８Ｂ）    封止切片
１４０    フック
Ｓ        ショーツ
【図１】
0003192746.tif 000003
【図２】
0003192746.tif 000004
【図３】
0003192746.tif 000005
【図４】
0003192746.tif 000006
【図５】
0003192746.tif 000007
【図６】
0003192746.tif 000008
【図７】
0003192746.tif 000009
【図８】
0003192746.tif 000010
【図９】
0003192746.tif 000011
【図１０】
0003192746.tif 000012
【図１１】
0003192746.tif 000013
【図１２】
0003192746.tif 000014
【図１３】
0003192746.tif 000015